(57)【要約】【課題】顔面へのフィット感に優れ、多くの水分を含んでも顔面に濡れた感触を与えることなく肌触り良く、通気性が良く呼吸が容易で、且つマスク内に浸入した有害な物質や臭気を発する物質をマスク内に滞留している間に分解して無害化することができる衛生用マスクを提供する。【解決手段】繊維からなる糸をニット編みとし、該ニット編布地を複数回折りたたみ所定形状に成形すると共に、所定部分を縫製しマスク本体とし、該マスク本体の両側部に耳掛け紐を設けた。繊維はポリ乳酸繊維である。光触媒加工を施し、ニット編布地の表面及び内部に光触媒アパタイトの微粒子を均一に付着させた。【選択図】図１
2008272375.tif 000002
【特許請求の範囲】
【請求項１】
繊維からなる糸をニット編みとし、該ニット編布地を複数回折りたたみ所定形状に成形すると共に、所定部分を縫製しマスク本体とし、該マスク本体の両側部に耳掛け紐を設けたことを特徴とする衛生用マスク。
【請求項２】
請求項１に記載の衛生用マスクにおいて、
前記繊維はポリ乳酸繊維であることを特徴とする衛生用マスク。
【請求項３】
請求項１又は２に記載の衛生用マスクにおいて、
少なくとも前記衛生用マスク本体に光触媒加工を施し、前記ニット編布地の表面及び内部に光触媒アパタイトの微粒子を均一に付着させたことを特徴とする衛生用マスク。
【請求項４】
請求項３に記載の衛生用マスクにおいて、
前記衛生用マスク本体は内部又は側面に通気性を有する補充シート材を着脱できるようになっていることを特徴とする衛生用マスク。
【請求項５】
請求項４に記載の衛生用マスクにおいて、
前記通気性を有する補充シート材は、ポリ乳酸繊維からなる糸をニット編みとしたニット編布地であることを特徴とする衛生用マスク。
【請求項６】
請求項４又は５に記載の衛生用マスクにおいて、
前記通気性を有する補充シート材に光触媒加工を施し、表面及び内部に光触媒アパタイトの微粒子を均一に付着させたことを特徴とする衛生用マスク。
【請求項７】
請求項１乃至６のいずれか１項に記載の衛生用マスクにおいて、
前記ニット編布地の一部又は全部に草木染加工を施したことを特徴とする衛生用マスク。
【発明の詳細な説明】
【技術分野】
【０００１】
本発明は、衛生用マスクに関し、特に鼻部及び口部を含む顔面にフィットし、通気性が良く、吐く息の湿気が眼鏡に付着して曇ったりすることなく、吸い込んだ化学物質の分解・消臭、ウイルスや細菌の死滅、花粉等の異物の分解等の作用を有する衛生用マスクに関するものである。
【背景技術】
【０００２】
従来、風邪や花粉症の場合に着用する衛生用マスクは、少なくともマスク本体は、伸縮性のない（或いは伸縮性が極めて小さい）横糸と縦糸とを織り込んでなる布地を用いている。そのため鼻部及び口部を含む顔面にフィットした感触がなく、顔面に馴染みにくいという問題がある。また、薄い布地を複数回折り重ね、所定部分を縫製して略矩形状のマスク本体部とし、その両側部に耳掛け紐を設ける構成であるため、マスク本体部の空隙率が少なく、通気性がよくないため、吐く息が顔面とマスク本体の間から漏れて、湿気が眼鏡に付着し曇り、視界を遮るという問題もある。
【０００３】
また、マスク本体を木綿の布地で製作した場合は、マスク本体に多くの水分が含まれた場合、顔面にぬれた感触を与え肌触りが悪いという問題や通気性が低下し息苦しいという問題もある。また、マスク本体に滅菌作用や、消臭作用や化学物質の分解作用がないため、臭気の強い物質や人体に悪い科学物質を吸い込んだ場合、それを直接体内に吸い込んでしまうという問題もある。例えばマスクを通したスギ花粉を吸い込んだ場合は、少ないとはいえ直接鼻腔や目に浸入し粘膜を刺激するという問題がある。
【０００４】
上記問題点を解決するため、特許文献１に開示されているように、水分を吸収することにより繊維が伸びて繊維間の間隙が拡大する吸湿伸延性布材により形成され、該吸湿伸延性布材の表面及び内部に光触媒アパタイトの微粒子が略均一に付着させた衛生用マスクがある。
【０００５】
上記特許文献１に記載の衛生用マスクは、太陽光や蛍光灯光等の光エネルギーと触媒アパタイトの微粒子が反応し、殺菌効果や脱臭効果を有すると共に、インフルエンザ等のウイルスの不活作用を有する湿度を維持し、且つ水分や湿度を吸収してそれによって通気性が劣化することなく呼吸が容易であるという効果を有するというものである。即ち、呼吸に伴ってマスク主体部に蓄積される湿度によるウイルス等の除菌効果との相乗作用により、衛生用マスクの機能を飛躍的に高めると共に、通気性を飛躍的に向上させるというものである。
【特許文献１】特開２００５−１７７３２０
【特許文献２】特開２０００−２０２０５２
【発明の開示】
【発明が解決しようとする課題】
【０００６】
上記特許文献１に開示する衛生用マスクは、マスク本体に湿気が蓄積しても通気性が劣化することなく呼吸が容易であるというものであるが、マスク本体に多くの湿気を蓄積した場合、顔面に濡れた感触を与え肌触りが悪いとい問題は依然残ると共に、マスク本体を構成する布地に伸縮性がないため、顔面にフィットした感触を与えないという問題があり、通気性も十分なものではなく、眼鏡に吐く息の湿気が付着し眼鏡が曇るという問題は解決されない。
【０００７】
本発明は上述の点に鑑みてなされたもので、顔面へのフィット感に優れ、多くの水分を含んでも顔面に濡れた感触を与えることなく肌触り良く、通気性が良く呼吸が容易で、且つマスク内に浸入した有害な物質や臭気を発する物質をマスク内に滞留している間に分解し無害化することができる衛生用マスクを提供することを目的とする。
【課題を解決するための手段】
【０００８】
上記課題を解決するため本発明は、繊維からなる糸をニット編みとし、該ニット編布地を複数回折りたたみ所定形状に成形すると共に、所定部分を縫製しマスク本体とし、該マスク本体の両側部に耳掛け紐を設けたことを特徴とする衛生用マスクにある。このようにマスク本体をニット編布地で構成することにより、ニット編布地は高い伸縮性を有するから、顔面にピッタリした感触、即ち顔面にフィットした感触を与える。また、ニット編布地は空隙率が大きいから、通気性がよく、呼吸が容易で息苦しい感じを与えることがない。更に、吐く息がマスクと顔面の間から漏れて湿気が眼鏡に付着し、眼鏡が曇り、視界を遮るということもない。
【０００９】
また、本発明は上記衛生用マスクにおいて、繊維はポリ乳酸繊維であることを特徴とする。ポリ乳酸繊維、例えばテラマック（登録商標、登録番号４２８７２５４、４３７４０８０、４８１０４４２）は、とうもろこしを原料として生産させるポリ乳酸をベースとする繊維であり、親水性、濡れ性が良く、乾燥が速いという性質を有している。このポリ乳酸繊維からなる糸をニット編みにしたニット編布地は伸縮性がよく、多くの湿気を含んでも肌にさらっとした感触を与えるから、このポリ乳酸繊維のニット編布地からなる衛生用マスクは肌触りがよく、顔面にフィットした感触を与え、且つ通気性がよい。
【００１０】
また、本発明は、上記衛生用マスクにおいて、少なくとも衛生用マスク本体に光触媒加工を施し、ニット編布地の表面及び内部に光触媒アパタイトの微粒子を均一に付着させたことを特徴とする。このように衛生用マスク本体のニット編布地の表面及び内部に光触媒アパタイトの微粒子を均一に付着させることにより、衛生用マスク本体のニット編布地内に浸入したウイルス、スギ花粉、悪臭を発する物質、人体に害を与える化学物質等の有害物質は、空隙率の高いニット編布地内の空隙内に留まっている間に、太陽光や蛍光灯光等の光エネルギーの存在下で分解し、無害化される。
【００１１】
また、ニット編布地は空隙率が大きいため、吐く息を衛生用マスク本体内に長く滞留させておくことができると同時に息内の湿気も多く滞留することから、湿気に弱いインフルエンザをはじめとするウイルスの除菌性能の向上も期待できる。更に、ポリ乳酸繊維からなるニット編布地は、濡れ性（親水性）が高いという特性を有するから、多くの湿気が繊維に付着しやすい。そのため更なる除菌性能の向上も期待できる。
【００１２】
また、本発明は、上記衛生用マスクにおいて、衛生用マスク本体は内部又は側面に通気性を有する補充シート材を着脱できるようになっていることを特徴とする。通気性を有する補充シート材を着脱できるようにすることにより、上記の有害物質の除去機能及び息苦しさ（通気性）を調整することが可能となる。また、衛生用マスク本体はニット編布地で構成されているので、伸縮性が高く容易に補充シートを挿入することができる。
【００１３】
また、本発明は、上記衛生用マスクにおいて、通気性を有する補充シート材は、ポリ乳酸繊維からなる糸をニット編みとしたニット編布地であることを特徴とする。
【００１４】
また、本発明は、上記衛生用マスクにおいて、通気性を有するシート材に光触媒加工を施し、表面及び内部に光触媒アパタイトの微粒子を均一に付着させたことを特徴とする。
【００１５】
また、本発明は、上記衛生用マスクにおいて、ニット編布地の一部又は全部に草木染加工を施すことを特徴とする。
【００１６】
例えば紅花などは、花に含まれるカルタミン（紅色）が肌荒れを防いだり、冷えを防止するという効能を持つと言われている。また、最近の研究で、冠状動脈を広げ、血圧やコレステロール値を下げる作用があると言われており、循環器系統の病気の治療にも幅広く用いられている。本衛生マスクのニット編布地の一部又は全部に紅花の草木染加工を施すことにより、マスク着用者の健康にも寄与できることが期待される。
【発明の効果】
【００１７】
請求項１に記載の発明によれば、衛生用マスク本体をニット編布地で構成するから、ニット編布地は高い伸縮性により、顔面にフィットした感触を与え、ニット編布地は空隙率が大きいことから、通気性がよく、呼吸が容易で息苦しい感じを全く与えることがない。更に、吐く息がマスクと顔面の間から漏れて湿気が眼鏡に付着して曇り、視界を遮るということもない優れた効果を有する衛生用マスクを提供できる。
【００１８】
請求項２に記載の発明によれば、繊維はポリ乳酸繊維であるので、このポリ乳酸繊維からなる糸をニット編みにしたニット編布地は伸縮性がよく、多くの湿気を含んでも肌にさらっとした感触を与えるから、顔面にフィットし、顔面に感触性のよい衛生用マスクを提供できる。
【００１９】
請求項３に記載の発明によれば、少なくとも衛生用マスク本体に光触媒加工を施し、ニット編布地の表面及び内部に光触媒アパタイトの微粒子を均一に付着させたので、衛生用マスク本体のニット編布地内に浸入したウイルス、スギ花粉、悪臭を発する物質、人体に害を与える化学物質等の有害物質は、空隙率の高いニット編布地内の空隙内に留まっている間に、太陽光や蛍光灯光等の光エネルギーの存在下で分解し、無害化される。
【００２０】
請求項４に記載の発明によれば、衛生用マスク本体は内部に又は側面に通気性を有する補充シート材を着脱できるようになっているので、有害物質の除去機能を調整することが可能となる。
【発明を実施するための最良の形態】
【００２１】
以下、本発明の実施の形態例を図面に基づいて説明する。図１は本発明に係る衛生用マスクの外観構成を示す図、図１（ａ）は平面図、図１（ｂ）は側面図である。本衛生用マスク１０は、マスク本体１１と両側に耳掛け紐（通常はゴム紐）１２を設けた構成である。マスク本体１１は繊維からなる糸をニット編みしたニット編布地１３を複数回折りたたみ、該ニット編布地１３が複数枚重なり合った状態の矩形状とし、その両側端近傍に縫製部１４を形成して、両側に耳掛け紐貫通穴１５を形成した構成である。
【００２２】
上記ニット編布地１３を造るための糸を構成する繊維は、木綿、化学繊維等でもよいが、ここではポリ乳酸繊維を使用している。ポリ乳酸繊維としては、例えば株式会社ユニチカ製のテラマック（登録商標、登録番号４２８７２５４、４３７４０８０、４８１０４４２）を用いる。ポリ乳酸繊維は植物由来のポリマーからなるバイオマス素材であり、そのベースであるポリ乳酸は、毎年大量に収穫されるとうもろこしを原料として製造されるといわれている。そしてポリ乳酸繊維は土中で微生物により分解（生分解）し、最終的には炭酸ガスと水に完全に分解するといわれている。従って、ポリ乳酸繊維からなるマスク本体１１は使用後に、コンポスト又は土中等に置くことにより微生物により分解（生分解）が進行し、最終的には炭酸ガスと水に完全に分解してしまう。
【００２３】
ポリ乳酸繊維は、濡れ性が良く、乾燥が速いという性質を有している。そこでこのポリ乳酸繊維で構成される糸を上記のようにニット編みしたニット編布地１３は伸縮性が良く（これはニット編布地そのものの特徴）、更に肌にさらっとした感触を与える（これはポリ乳酸繊維の特徴）。従って、ポリ乳酸繊維からなるニット編布地１３で造った上記衛生用マスク１０はマスク本体１１にフィットした感触（ピッタリとした感触）を与える。更にニット編布地１３の空隙率は、通常の縦糸と横糸でなる布に比較して大きいので、通気性に優れたものとなり、呼吸が容易となる。
【００２４】
また、ニット編布地１３は通気性がよいことから、呼吸により吐き出された湿気を含む空気が、マスク本体１１の内部の空隙を通って外部に出るから、従来の衛生用マスクのようにマスクと顔面の間の隙間を通って吐く息が漏れ、湿気が眼鏡に付着し、眼鏡が曇るという問題がない。
【００２５】
上記構成の衛生用マスク１０を光触媒加工液に浸漬し、乾燥させることにより、マスク本体１１を構成するニット編布地１３の表面及び内部に光触媒アパタイトの微粒子を均一に付着する。酸化チタン（ＴｉＯ2）で代表される光触媒アパタイトは、親水性を有するので、上記のように衛生用マスク１０を光触媒加工液に浸漬又は塗布して乾燥させることにより、ニット編布地１３の表面及び内部に光触媒アパタイトが均一で且つ高密度に付着する。  
【００２６】
光触媒アパタイトは太陽及び蛍光灯からの光エネルギーが存在する場所で、触媒反応が起り、空気中に浮遊するウイルス、細菌、花粉等の異物、悪臭や人体に有害な化学物質を分解し、無害化するという性質を有している。特にマスク本体１１をニット編布地１３で構成している、本衛生用マスクにおいては、ニット編布地１３の空隙内にこのウイルス、細菌、花粉等の異物、悪臭や人体に有害な化学物質は、留まることになる。そしてこの留まっている間に、太陽光や蛍光灯光等の光エネルギーと反応し、これらを効率よく分解し、無害化することができる。上記光触媒加工液には、例えば株式会社ガイア製の光触媒加工液を用いる。
【００２７】
上記株式会社ガイア製の光触媒加工液に浸漬・乾燥させ光触媒加工を施した場合、抗菌作用があることや、アンモニアの消臭効果、トリメチルアミンの消臭効果の試験結果が同社のパンフレット等で公開されており、本発明に係る衛生用マスクにおいても、太陽光や蛍光灯光の光エネルギーの存在する場所での、抗菌作用、消臭効果が期待できる。また光触媒により、スギ花粉も分解されることが公開されており、本発明に係る衛生用マスクにおいてもスギ花粉の分解が期待できる。
【００２８】
また、マスク本体１１のニット編布地１３の一部又は全部に草木染加工を施す。草木染は通常の染色と異なり、低い温度で染色加工を施すことができるから、ニット編布地１３を構成する高温に弱いというポリ乳酸繊維を痛めることなく、各種の草木染加工を施すことができる。例えば紅花の草木染加工を施すことにより、上述したように本衛生用マスク１０の着用者の健康に寄与することが期待される。
【００２９】
実施形態例では、図１に示すように、ニット編布地１３を複数回折りたたみ、両側端近傍に縫製部１４を形成して、両側に耳掛け紐貫通穴１５を形成し、耳掛け紐貫通穴１５に耳掛け紐１２を貫通された構成の衛生用マスクを例に説明したが、本発明に係る衛生用マスクはこの構成に限定されるものではなく、例えば、図２に示すように、ニット編布地１３からなるマスク本体１１に通気性を有する補充シート２０を挿入するポケット２１を設け、このポケット２１内に補充シート２０を挿入するようにしてもよい。この場合、マスク本体１１は伸縮性の高いニット編布地１３で構成されているから、補充シート２０の挿入に際してポケット２１内を拡大できるから、補充シート２０の挿入は極めて容易となる。
【００３０】
補充シート２０を構成する材料としては、通気性があり、吸い込む外気中のウイルス、細菌、花粉等の異物を捕捉できる機能を有するものであればどのようなものでもよい。例えば上記のようにポリ乳酸繊維からなる糸をニット編としたニット編布地であれば、補充シート２０自体も伸縮性を有するので、着用した際、フィットした感触が得られる。また、この補充シート２０も、光触媒加工液に浸漬し、乾燥させることにより、その表面及び内部に光触媒アパタイトの微粒子を均一に付着させてもよい。補充シート２０は厚さの異なるものを複数用意し、異物の捕捉率や通気性を調整して息苦しさを調整するようにしてもよい。また、挿入する補充シート２０の枚数を調整するようにしてもよい。
【００３１】
補充シート２０はマスク本体１１の外側或いは内側に図示しない装着手段（例えばマジックテープ（登録商標、登録番号１３２８１６３））により脱着できるように構成してもよい。
【００３２】
以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００３３】
【図１】本発明に係る衛生用マスクの構成例を示す図である。
【図２】本発明に係る衛生用マスクの他の構成例を示す図である。
【符号の説明】
【００３４】
１０    衛生用マスク
１１    マスク本体
１２    耳掛け紐
１３    ニット編布地
１４    縫製部
１５    耳掛け紐貫通穴
２０    補充シート
２１    ポケット
【図１】
2008272375.tif 000003
【図２】
2008272375.tif 000004